(57)【特許請求の範囲】
【請求項１】
公衆電話網（3）のプロトコルに従って定められている公衆内線指定番号およびインタネット・プロトコルに従った通信交換網であるＩＰ交換網（2）のプロトコルに従うプライベート・ネットワークの番号であるＶＰＮ番号を対応して割当てられている複数の端末（20ａ，20ｂ）を呼び分けできるように収容し公衆電話網（3）に接続された電話装置（6）に対して、前記ＩＰ交換網（2）から前記ＶＰＮ番号により前記複数の端末（20ａ，20ｂ）のうちのいずれかを指定して呼出すための着信があったとき、
前記ＶＰＮ番号に対応する前記公衆内線指定番号を前記電話装置（6）に対して送出するように着信番号変換処理（1）をする
通信網のＩＰ−ＶＰＮアダプタ着信方法。
【請求項２】
前記着信番号変換処理（1）において、
前記ＶＰＮ番号および前記ＶＰＮ番号に対応する前記公衆内線指定番号をあらかじめ記憶してデータ・ベースとするデータ・ベース処理をし（12）、
前記複数の端末（20ａ，20ｂ）のうちのいずれかを前記ＶＰＮ番号によって指定して呼出すための着信があったとき、前記指定されたＶＰＮ番号に対応する前記公衆内線指定番号を前記データ・ベースより読み出すように制御するための制御処理をする（11）
請求項1の通信網のＩＰ−ＶＰＮアダプタ着信方法。
【請求項３】
前記着信番号変換処理（1）において、
前記ＶＰＮ番号に対応する前記公衆内線指定番号を前記電話装置（6）に対してモデム信号により送出するようにモデム信号処理をする（15）
請求項1の通信網のＩＰ−ＶＰＮアダプタ着信方法。
【請求項４】
公衆電話網（3）のプロトコルに従って定められている公衆内線指定番号およびインタネット・プロトコルに従った通信交換網であるＩＰ交換網（2）のプロトコルに従うプライベート・ネットワークの番号であるＶＰＮ番号を対応して割当てられている複数の端末（20ａ，20ｂ）を呼び分けできるように収容し公衆電話網（3）に接続された電話装置（6）に対して、前記ＩＰ交換網（2）から前記ＶＰＮ番号により前記複数の端末（20ａ，20ｂ）のうちのいずれかを指定して呼出すための着信があったとき、
前記ＶＰＮ番号に対応する前記公衆内線指定番号を前記電話装置（6）に対して送出するための着信番号変換手段（1）を含んでいる
通信網のＩＰ−ＶＰＮアダプタ着信装置。
【請求項５】
前記着信番号変換手段（1）が、
前記ＶＰＮ番号および前記ＶＰＮ番号に対応する前記公衆内線指定番号をあらかじめ記憶してデータ・ベースとするデータ・ベース手段（12）と、
前記複数の端末（20ａ，20ｂ）のうちのいずれかを前記ＶＰＮ番号によって指定して呼出すための着信があったとき、前記指定されたＶＰＮ番号に対応する前記公衆内線指定番号を前記データ・ベースより読み出すように制御するための制御手段（11）とを含んでいる
請求項4の通信網のＩＰ−ＶＰＮアダプタ着信装置。
【請求項６】
前記着信番号変換手段（1）が、
前記ＶＰＮ番号に対応する前記公衆内線指定番号を前記電話装置（6）に対してモデム信号により送出するモデム信号手段（15）を含んでいる
請求項4の通信網のＩＰ−ＶＰＮアダプタ着信装置。
【発明の詳細な説明】
【０００１】
【発明の属する技術分野】
本発明は、通信網におけるＩＰ−ＶＰＮアダプタを用いた着信方法と装置に関する。具体的には、プライベート・ネットワークを構築するためにＩＰ交換網（Internet Protocolに従った通信交換網）を介して複数の電話装置を接続する、ＩＰ−ＶＰＮ（Virtual Private Network:仮想私設網）アダプタを用いてダイヤルイン着信する新規な方法と装置を提供するものである。
【０００２】
【従来の技術】
図９は、従来例を示す、ＩＰ−ＶＰＮアダプタを含む通信網の構成図である。端末２１ａが、ＩＰ交換網（インタネット・プロトコルに従った通信交換網）２，ＩＰ−ＶＰＮアダプタ１Ｂａ，１Ｂｂおよび電話装置６を介して、内線である端末２０ａまたは２０ｂを呼出そうとしている。これらの要素は、伝送路Ｌ２１ａ，Ｌ２ａ，Ｌ２ｂ，Ｌ１Ｂａ，Ｌ１Ｂｂ，Ｌ６ａ，Ｌ６Ａｂによって接続されている。
【０００３】
従来のＩＰ−ＶＰＮアダプタ１Ｂａ，１Ｂｂは、ＩＰ交換網２側からの着信を受け付けても、電話装置６に対して呼出し信号を送出した後に、そこに収容された内線の端末２０ａまたは２０ｂを呼び分けるダイヤルイン信号を通知する機能を有していないために、その呼び分けができない。そこで、ＩＰ交換網２側からは、伝送路Ｌ２ａ，Ｌ２ｂの２つの回線と、２つのＩＰ−ＶＰＮアダプタ１Ｂａ，１Ｂｂを用いて、電話装置６を介して端末２０ａまたは２０ｂを、それぞれ個別に呼出していた。
【０００４】
内線の端末２０ａまたは２０ｂを、それぞれ個別に呼出すためには、呼び分ける対象となる端末２０ａまたは２０ｂの数と同数の回線数（伝送路Ｌ２ａ，Ｌ２ｂ）および同数のＩＰ−ＶＰＮアダプタ１Ｂａ，１Ｂｂを使用する必要があった。
【０００５】
ダイヤルイン着信は、公衆電話網が、内線端末のユーザーが宅内に設置した電話装置に対して提供するサービスである。このサービスにより、公衆電話網から、直接に内線端末へダイヤルすることができる。
【０００６】
図１０は、図９の構成要素である従来のＩＰ−ＶＰＮアダプタの内部構成を示す回路構成図である。そこには、制御部１１Ｂを挿んでＩＰ交換網２と伝送路Ｌ２を介して接続をするＩＰインタフェース１３Ｂと、電話回線側と伝送路Ｌ１Ｂを介して接続をする回線インタフェース１４Ｂとがある。制御部１１とＩＰ交換網２との間は、ＩＰパケットによって、やりとりがなされる。制御部１１と電話回線の電話装置６との間は、電話信号によって、やりとりがなされる。制御部１１Ｂは、ＩＰパケットと電話信号との変換をしている。
【０００７】
図９の構成において、電話装置６には、多くの場合、図示されてはいない公衆電話網も接続されており、そこに収容された端末２０ａおよび２０ｂには、既に公衆電話網を提供している事業者から内線指定番号が割当てられている。この割当てられた公衆内線指定番号は、当然のことながら、公衆電話網のプロトコルに従って定められている。
【０００８】
そのために、端末２１ａからＩＰ交換網２を介して内線の端末２０ａまたは２０ｂに接続を求める（着信があった）場合には、端末２０ａおよび２０ｂにそれぞれ専属のＩＰ−ＶＰＮアダプタ１Ｂａ，１Ｂｂを設けて、ＩＰ交換網２のプロトコルにしたがってＩＰ−ＶＰＮアダプタ１Ｂａ，１Ｂｂを呼び分ける必要があった。ＩＰ交換網２のプロトコルにしたがって指定番号（以下、ＶＰＮ番号という）が割当てられているＩＰ−ＶＰＮアダプタ１Ｂａ，１Ｂｂを呼び分けた後は、それぞれに接続された端末２０ａおよび２０ｂに、電話装置６を介して、接続される。
【０００９】
ダイヤルイン着信には、２つの方式がある。第１の方式は、公衆電話網から、公衆内線指定番号に対応する電話装置６に対して公衆内線指定番号を送る方法である。第２の方式は、公衆電話網から、公衆内線指定番号に対応する電話装置６を呼出し、それに対して電話装置６から応答（１次応答）があると、公衆内線指定番号をモデム信号、あるいは、ＰＢ（押しボタン）信号として送出し、内線端末を指定する方法である。この２つのダイヤルイン着信サービスは、公衆電話網の利用者にとっては、私設の交換台を不要とするので、有益なサービスであった。しかし、ＩＰ交換網２との整合性は、考慮されてはいなかった。
【００１０】
【発明が解決しようとする課題】
公衆内線指定番号が公衆電話網のプロトコルに従って定められている内線の端末に、ＩＰ交換網からＩＰ−ＶＰＮアダプタに電話装置を介して着信（接続要求）があった場合、呼び分けの対象となる端末の数だけＩＰ−ＶＰＮアダプタと電話回線を必要としていた。これは、不経済であり、解決されなければならない課題であった。
【００１１】
内線の端末の公衆内線指定番号が公衆電話網のプロトコルに従って定められている場合には、ＩＰ交換網からもその内線の端末を呼出すことができるようにするためには、ＩＰ交換網内で構築するプライベート・ネットワークの番号計画が公衆電話網のプロトコルに従う必要があり、ＩＰ交換網内で自由にプライベート・ネットワークの番号計画を立てることができないという、解決されなければならない課題があった。
【００１２】
【課題を解決するための手段】
ＩＰ交換網内で構築するプライベート・ネットワークの番号計画が公衆電話網のプロトコルに従う必要がなく、ＩＰ交換網内で自由にプライベート・ネットワークの番号計画を立てることができるようにすることが必要である。そのために、ＩＰ−ＶＰＮアダプタに、制御部，着信番号変換データ・ベース，ＩＰインタフェース，回線インタフェースおよびモデム信号生成部を設けた。
【００１３】
呼出される端末には２種類の番号、すなわち、公衆電話網のプロトコルに従う内線番号（公衆内線指定番号）とＩＰ交換網内のプロトコルに従うプライベート・ネットワークの番号（以下、ＶＰＮ番号という）の両方を規定できるようにした。着信番号変換データ・ベースには、この公衆内線指定番号とＶＰＮ番号の双方を対応して記憶せしめた。
【００１４】
ＩＰ交換網内からのＶＰＮ番号による着信（接続要求）があった場合、ＩＰインタフェースを介して制御部が受けると、着信番号変換データ・ベースに問い合わせ、ＶＰＮ番号に対応する公衆内線指定番号を読み出す。モデム信号生成部では、公衆内線指定番号をモデム信号、あるいは、ＰＢ信号に変換して回線インタフェースを介して電話装置へ送るようにした。
【００１５】
ＩＰ交換網からＩＰ−ＶＰＮアダプタを見たときには、ＩＰ−ＶＰＮアダプタはＩＰ交換網内のプロトコルに従うＶＰＮ番号の端末に見えるから、公衆電話網のプロトコルとは関係なくＶＰＮ番号を決定することができるようになった。
【００１６】
さらに、電話装置に多くの内線の端末が収容（接続）されていてもそれぞれの公衆内線指定番号でＩＰ-ＶＰＮアダプタから呼出すことができるから、呼び分けの対象となる内線の端末の数だけＩＰ-ＶＰＮアダプタと電話回線を必要としなくなった。すなわち、1つのＩＰ-ＶＰＮアダプタと電話回線を用いて複数の内線の端末を呼び分けることができる。また、公衆網発信用特番とＶＰＮ発信用特番を用いるならば、たまたま、1つの端末の公衆内線指定番号と他の端末のＶＰＮ番号が同じとなることがあっても、確実に呼び分けできる。これにより、ダイヤルイン着信サービスにおける公衆電話網とＩＰ交換網との整合性が良くなった。
【００１７】
【発明の実施の形態】
図１は、本発明の実施の形態を示すＩＰ−ＶＰＮアダプタを含む通信網の構成図である。ここで、図９に示した従来例に対応するものについては、同じ記号を用いている。端末２１が、ＩＰ交換網２，ＩＰ−ＶＰＮアダプタ１および電話装置６を介して、そこに収容されている内線の端末２０ａまたは２０ｂを呼出そうとしている。これらの要素は、伝送路Ｌ２１，Ｌ２Ｌ１Ｌ６ａ，Ｌ６ｂによって接続されている。
【００１８】
ここで、呼出される端末２０ａまたは２０ｂには２種類の番号、すなわち、公衆電話網のプロトコルに従う公衆内線指定番号とＩＰ交換網内のプロトコルに従うプライベート・ネットワークのＶＰＮ番号の両方を規定することができる。
【００１９】
図２は、図１の重要な構成要素であるＩＰ−ＶＰＮアダプタの内部構成を示す回路構成図である。そこには、制御部１１を挿んでＩＰ交換網２と伝送路Ｌ２を介して接続をするＩＰインタフェース１３と、電話回線側と伝送路Ｌ１を介して接続をする回線インタフェース１４とがある。この構成は、図９の構成に対応している。制御部１１とＩＰ交換網２との間は、ＩＰパケットによって、やりとりがなされる。制御部１１と電話回線の電話装置６との間は、電話信号によって、やりとりがなされる。制御部１１は、ＩＰパケットと電話信号との変換をしている。
【００２０】
図２の構成では、図９の従来例の構成に、着信番号変換データ・ベース１２とモデム信号生成部１５が追加されている点が異なる。呼出される端末２０ａおよび２０ｂには、それぞれ２種類の番号、すなわち、、公衆内線番号とＩＰ番号の両方が規定されているから、着信番号変換データ・ベース１２には、この公衆内線指定番号とＶＰＮ番号の双方を対応して記憶せしめている。
【００２１】
端末２１からＩＰ交換網２を介してＩＰ番号による着信（接続要求）があった場合、ＩＰインタフェース１３を介して制御部１１が受けると、接続を要求する呼情報であることを読取り、着信番号変換データ・ベース１２に問い合わせ、ＶＰＮ番号に対応する公衆内線指定番号を読み出す。
【００２２】
制御部１１は回線インタフェース１４を介して電話装置６を呼出す呼出し信号を送出した後、呼情報内に含まれる着信番号情報（端末２０ａまたは２０ｂのＶＰＮ番号）に対応する公衆内線指定番号をモデム信号生成部１５に印加する。モデム信号生成部１５では、公衆内線指定番号をモデム信号、あるいは、ＰＢ信号に変換して回線インタフェースを介して電話装置６へ送る。
【００２３】
ＩＰ交換網２からＩＰ−ＶＰＮアダプタ１を見たときには、ＩＰ−ＶＰＮアダプタ１はＩＰ交換網２内のプロトコルに従うＶＰＮ番号の端末に見えるから、公衆電話網のプロトコルとは関係なくＶＰＮ番号を決定することができる。
【００２４】
さらに、電話装置に多くの内線の端末２０が接続されていても、それぞれの公衆内線指定番号で１つのＩＰ−ＶＰＮアダプタ１から呼出すことができるから、呼び分けの対象となる内線の端末２０の数だけＩＰ−ＶＰＮアダプタ１と電話回線を必要とはしない。すなわち、１つのＩＰ−ＶＰＮアダプタ１と電話回線を用いて複数の内線の端末を呼び分けることができる。
【００２５】
図１において、ＩＰ−ＶＰＮアダプタ１の伝送路Ｌ２側、すなわち、ＩＰ交換網２と端末２１はＩＰ交換網２内のプロトコルに従い、ＩＰ−ＶＰＮアダプタ１の伝送路Ｌ１側、すなわち、電話装置６と端末２０ａおよび２０ｂは公衆電話網のプロトコルにしたがう。このように、ＩＰ−ＶＰＮアダプタ１は、ＩＰ交換網２を公衆電話網のプロトコルから完全に絶縁する作用をしている。
【００２６】
図３は、ＩＰ交換網２と公衆電話網３からのダイヤルイン着信を示す構成図である。端末２０ａまたは２０ｂに電話装置６を介して公衆電話網３に接続された端末２１ｂから、公衆電話網３に含まれている加入者線交換機５を介して、着信（接続要求）があった場合を示している。
【００２７】
端末２０ａまたは２０ｂに電話装置６を介してＩＰ交換網２に接続された端末２１ａから、ＩＰ−ＶＰＮアダプタ１を介して、着信（接続要求）があった場合は、図１の構成における動作と同じである。ここで、端末２１ｂは図示を省略した加入者線交換機５を介して公衆電話網３に接続されている。
【００２８】
端末２１ａからＩＰ交換網２を介してＶＰＮ番号による着信（接続要求）があった場合、ＩＰ−ＶＰＮアダプタ１によって接続を要求する呼情報であることを読取り、ＶＰＮ番号に対応する公衆内線指定番号で端末２０ａまたは２０ｂへのダイヤルイン着信信号を電話装置６へ送る。
【００２９】
端末２１ｂから公衆電話網３を介して公衆内線指定番号による着信（接続要求）があった場合、加入者線交換機５によって接続を要求する呼情報であることを読取り、公衆内線指定番号で端末２０ａまたは２０ｂへのダイヤルイン着信信号を電話装置６へ送る。
【００３０】
電話装置６は、公衆内線指定番号で送られてきた端末２０ａまたは２０ｂへのダイヤルイン着信信号により、端末２０ａまたは２０ｂを選択して接続する。電話装置６では、ＩＰ−ＶＰＮアダプタ１から送られてくるダイヤルイン着信信号も、加入者線交換機５から送られてくるダイヤルイン着信信号も、ともに同じ公衆電話網３のプロトコルに従った公衆内線指定番号であるから、端末２０ａまたは２０ｂを選択して接続する動作は、両者を区別することなく実行される。
【００３１】
図４は、図３の通信網におけるダイヤルイン着信のＶＰＮ番号から公衆内線指定番号に変換して接続する様子を示す構成図である。端末２１ａのＶＰＮ番号は 101であり、端末２０ａのＶＰＮ番号は201 である。端末２０ａは、公衆電話網３の事業者とはダイヤルイン契約（モデム・ダイヤルイン）にもとづき公衆内線指定番号0312345678も割当てられている。端末２０ａは加入者線である伝送路Ｌ５によって加入者線交換機５を介して、公衆電話網３に接続されている。
【００３２】
端末２１ａ（ＶＰＮ番号 101）から、端末２０ａ（ＶＰＮ番号 201、公衆内線指定番号0312345678）へ接続要求している。同じく、端末２１ｂ（ＶＰＮ番号なし）から、端末２０ａ（ＶＰＮ番号 201、公衆内線指定番号0312345678）へ接続要求している。
【００３３】
端末２１ａ（ＶＰＮ番号 101）は、端末２０ａへ接続要求するときは、そのＶＰＮ番号 201を着番号としている。このＶＰＮ番号 201をＩＰ−ＶＰＮアダプタ１が受けると、ＶＰＮ番号 201に対応する公衆内線指定番号（内線番号として図示）0312345678に変換して電話装置６に送出する。電話装置６は公衆内線指定番号0312345678の端末２０ａを呼出して接続する。
【００３４】
端末２１ｂから、端末２０ａへ接続要求するときは、その公衆内線指定番号0312345678を電話装置６に送出する。電話装置６は公衆内線指定番号0312345678の端末２０ａを呼出して接続する。この接続は、従来のダイヤルイン着信時の動作に同じである。
【００３５】
図５，図６および図７は、図１または図３の通信網におけるダイヤルイン着信の動作の流れを示すフローチャートである。端末２１ａが、端末２０ａ（ＶＰＮ番号 201）に対して、着信（接続）要求している（Ｓ１０１）。この着信（接続）要求をＩＰ−ＶＰＮアダプタ１が受けると（Ｓ１０２Ｙ）、着番変換、すなわち、ＶＰＮ番号 201に対応する公衆内線指定番号（内線番号）0312345678に変換する（Ｓ１０３）。そこで、電話装置６への伝送路Ｌ１の極性を反転する（Ｓ１０４）。
【００３６】
電話装置６はこの極性反転から、つぎに端末２０ａを起動する起動信号が送られてくるのを待つ（Ｓ１０５Ｙ）。そこでＩＰ−ＶＰＮアダプタ１は、起動信号を送出する（Ｓ１０６）。この起動信号を受けた電話装置６は（Ｓ１０７Ｙ）、一次応答信号をＩＰ−ＶＰＮアダプタ１に対して送る（Ｓ１０８、図６）。この一次応答信号をＩＰ−ＶＰＮアダプタ１が受け取ると（Ｓ１０９Ｙ）、着番情報をモデム信号で電話装置６に対して送る（Ｓ１１０）。
【００３７】
このモデム信号は、図２に示したＩＰ−ＶＰＮアダプタ１のモデム信号生成部１５で生成される。モデム信号の内容である着番情報は、図４に示した相手の端末２０ａの公衆内線指定番号（内線番号）0312345678である。
【００３８】
この着番情報を受け取ると（と１１１Ｙ）、電話装置６は受信完了信号をＩＰ−ＶＰＮアダプタ１に対して送出する（Ｓ１１２）。受信完了信号をＩＰ−ＶＰＮアダプタ１が受け取ると（Ｓ１１３Ｙ）、電話装置６の受信状態に入ったことを確認するから、呼出し動作に移行したことを端末２１ａに知らせる（Ｓ１１４）。呼出し動作に移行したことを端末２１ａが検知すると（Ｓ１１５Ｙ）、応答を受信する準備ができあがる（Ｓ１１６）。
【００３９】
そこで、ＩＰ−ＶＰＮアダプタ１は電話装置６に対して、呼出し信号を送出する（Ｓ１１７、図７）。電話装置６は、この呼出し信号を中継して端末２０ａに送る（Ｓ１１８）。端末２０ａは呼出し信号を受信すると（Ｓ１１９）、鳴動して呼出し音を発する（Ｓ１２０）。端末２０ａでは、送受話器を取り上げて応答する（Ｓ１２１）。送受話器を取り上げることによって、電話装置６は応答を検知するから、ＩＰ−ＶＰＮアダプタ１に対して、二次応答信号を送出する（Ｓ１２２）。
【００４０】
ＩＰ−ＶＰＮアダプタ１は、この二次応答信号を中継して端末２１ａに知らせる（Ｓ１２４）。端末２１ａはこの二次応答信号を受けると（Ｓ１２５Ｙ）、通話を開始することができる（Ｓ１２６）。その後は、端末２１ａと端末２０ａとの間で、ＩＰ−ＶＰＮアダプタ１と電話装置６を介して通話が行われる。この通話は、端末２１ａとＩＰ−ＶＰＮアダプタ１との間では、音声ＩＰパケットにより、ＩＰ−ＶＰＮアダプタ１と端末２０ａとの間では、音声信号により行われる（Ｓ１２７）。
【００４１】
図８は、図５のステップＳ１０３に示した着番変換のサブルーチンの動作の流れを示すフローチャートである。この着番変換の動作は、ＩＰ−ＶＰＮアダプタ１に含まれた制御部１１と着信番号変換データ・ベース１２（図２）の間で実行される。ここで、接続の相手である端末２０ａの識別番号は、ＶＰＮ番号 201,公衆内線指定番号0312345678である（図４）。
【００４２】
着信番号変換の要求を確認すると（Ｓ２０１Ｙ、図８）、制御部１１は着信番号変換データ・ベース１２に対して、ＶＰＮ番号 201に対応する公衆内線指定番号を問い合わせる（Query 201 ）（Ｓ２０２）。この問い合わせを受けた着信番号変換データ・ベース１２は（Ｓ２０３Ｙ）、ＶＰＮ番号 201  に対応する公衆内線指定番号は0312345678であるから、制御部１１に対して応答する（Answer  0312345678）（Ｓ２０４）。制御部１１は、この応答を受信すると（Ｓ２０５）、着信番号変換の動作は終了する。
【００４３】
図４において、ＩＰ交換網２に接続れた端末２１ａ、または、公衆電話網３に接続された端末２１ｂの番号が、たまたま、同じであった場合でも、端末２０ａは、端末２１ａ、または、２１ｂに対して確実に呼び分けて発信することができることを説明する。
【００４４】
たとえば、公衆網発信用特番“０”、ＶＰＮ発信用特番“１”と設定されている場合には、端末２１ａに対して発信するには、端末２０ａは、“１”＋ＶＰＮ番号をダイヤルする。また、端末２１ｂに対して発信する場合には、端末２０ａは、“０”＋公衆網指定番号をダイヤルする。したがって、端末２０ａは、同じ番号の端末２１ａ、または、２１ｂに対しても、特番を用いて確実に呼び分けて発信することができるので、全く問題は生じない。
【００４５】
【発明の効果】
ＩＰ交換網から、公衆内線指定番号とVPN番号を併有する端末を接続されたＩＰ-ＶＰＮアダプタを見たときには、ＩＰ-ＶＰＮアダプタはＩＰ交換網内のプロトコルに従うＶＰＮ番号の端末に見えるから、公衆電話網のプロトコルとは関係なくVPN番号を決定することができるようになった。
【００４６】
さらに、電話装置に多くの内線の端末が接続されていても、それぞれの公衆内線指定番号でＩＰ-ＶＰＮアダプタから呼出すことができるから、呼び分けの対象となる内線の端末の数だけＩＰ-ＶＰＮアダプタと電話回線を必要としなくなった。すなわち、1つのＩＰ-ＶＰＮアダプタと電話回線を用いて複数の内線の端末を呼び分けることができる。また、公衆網発信用特番とＶＰＮ発信用特番を用いるならば、たまたま、1つの端末の公衆内線指定番号と他の端末のＶＰＮ番号が同じとなることがあっても、確実に呼び分けできる。これにより、公衆電話網に契約している電話装置の設定を変更する必要もなくなり、ダイヤルイン着信サービスにおける公衆電話網とIP交換網との整合性が良くなった。したがって、本発明の効果は極めて大きい。
【図面の簡単な説明】
【図１】  本発明の実施の形態を示すＩＰ−ＶＰＮアダプタを含む通信網の構成図である。
【図２】図１の重要な構成要素であるＩＰ−ＶＰＮアダプタの内部構成を示す回路構成図である。
【図３】本発明におけるＩＰ交換網２と公衆電話網３からのダイヤルイン着信を示す構成図である。
【図４】図３の通信網におけるダイヤルイン着信のＶＰＮ番号から内線番号に変換して接続する様子を示す構成図である。
【図５】図１または図３の通信網におけるダイヤルイン着信の動作の流れを示すフローチャートである。
【図６】図５とともに、図１または図３の通信網におけるダイヤルイン着信の動作の流れを示すフローチャートである。
【図７】図５および図６とともに、図１または図３の通信網におけるダイヤルイン着信の動作の流れを示すフローチャートである。
【図８】図５における着番変換のサブルーチンの動作の流れを示すフローチャートである。
【図９】従来例を示す、ＩＰ−ＶＰＮアダプタを含む通信網の構成図である。
【図１０】図９の構成要素であるＩＰ−ＶＰＮアダプタの内部構成を示す回路構成図である。
【符号の説明】
１  ＩＰ−ＶＰＮアダプタ
２  ＩＰ交換網
３  公衆電話網
５  加入者線交換機
６  電話装置
１１  制御部
１２  着信番号変換データ・ベース
１３  ＩＰインタフェース
１４  回線インタフェース
１５  モデム信号生成部
２０，２１  端末
Ｌ  伝送路
Ｓ  ステップ
【図１】
0003937775.tif 000002
【図２】
0003937775.tif 000003
【図３】
0003937775.tif 000004
【図４】
0003937775.tif 000005
【図５】
0003937775.tif 000006
【図６】
0003937775.tif 000007
【図７】
0003937775.tif 000008
【図８】
0003937775.tif 000009
【図９】
0003937775.tif 000010
【図１０】
0003937775.tif 000011